(57)【特許請求の範囲】
【請求項１】
インターレース方式の映像信号のモニタ上の走査線の位置を表す走査信号を発生する走査信号発生装置において、
ＮＴＳＣ方式の映像信号から抽出された水平同期信号、及びＰＡＬ方式の映像信号から抽出された水平同期信号が、択一的に入力される水平同期信号入力端子と、
クリア端子に供給されたパルス信号の後縁でクリアされ、かつ入力された水平同期信号を計数して走査信号を出力するカウンタと、
ＮＴＳＣ方式の映像信号から抽出された垂直同期信号、及びＰＡＬ方式の映像信号から抽出された垂直同期信号が、択一的に供給される垂直同期信号入力端子と、
入力された垂直同期信号の後縁が所定時間遅延された疑似垂直同期信号を発生する疑似垂直同期信号発生手段と、
入力された垂直同期信号及び生成された疑似垂直同期信号の一方を選択する選択手段であって、ＮＴＳＣ方式の映像信号の場合は入力された垂直同期信号を選択し、ＰＡＬ方式の映像信号の場合は生成された疑似垂直同期信号を選択して、カウンタのクリア端子に供給する選択手段と
からなることを特徴とする走査信号発生装置。
【請求項２】
インターレース方式の映像信号のモニタ上の走査線の位置を表す走査信号を発生する走査信号発生装置において、
ＮＴＳＣ方式の映像信号から抽出された水平同期信号、及びＰＡＬ方式の映像信号から抽出された水平同期信号が、択一的に入力される水平同期信号入力端子と、
クリア端子に供給されたパルス信号の後縁でクリアされ、かつ入力された水平同期信号を計数して走査信号を出力するカウンタと、
ＮＴＳＣ方式の映像信号から抽出された垂直同期信号、及びＰＡＬ方式の映像信号から抽出された垂直同期信号が、択一的に供給される垂直同期信号入力端子と、
入力された垂直同期信号の後縁が所定時間遅延された疑似垂直同期信号を発生する疑似垂直同期信号発生手段と、
映像信号から抽出されたフィールド判別信号に基づいて、現在のフィールドが奇数フィールドか偶数フィールドかを判定する判別手段と、
入力された垂直同期信号及び生成された疑似垂直同期信号の一方を選択する第１の選択手段であって、判別手段が現在のフィールドが奇数フィールドであると判定したときに入力された垂直同期信号を選択し、偶数フィールドであると判定したときに疑似垂直同期信号を選択して出力する第１の選択手段と、
入力された垂直同期信号及び第１の選択手段からの出力の一方を選択する第２の選択手段であって、ＮＴＳＣ方式の映像信号の場合は入力された垂直同期信号を選択し、ＰＡＬ方式の映像信号の場合は第１の選択手段からの出力を選択して、カウンタのクリア端子に供給する第１の選択手段と
からなることを特徴とする走査信号発生装置。
【請求項３】
請求項１又は２記載の走査信号発生装置において、疑似垂直同期信号発生手段は、
入力された垂直同期信号の後縁から所定時間後にパルスを出力する遅延手段と、
入力された垂直同期信号の前縁でセットされ、遅延手段からのパルスによりリセットされるフリップ・フロップと
で構成されていることを特徴とする走査信号発生装置。
【発明の詳細な説明】
【０００１】
【発明の技術分野】
本発明は、モニタ上に表示する映像信号の走査信号をカウンタを用いてデジタル的に発生する装置に関し、特に、インターレース方式であるＮＴＳＣ方式及びＰＡＬ方式の両方の映像信号に共用することができる走査信号発生装置に関する。
【０００２】
【従来の技術】
映像信号の走査信号発生装置では、モニタ上に表示する映像信号の同期を取るために、映像信号から抽出された水平同期信号と垂直同期信号とを該装置に取り込んで処理し、同期が取られた走査信号を発生している。ＮＴＳＣ方式及びＰＡＬ方式等のインターレース方式の映像信号は奇数フィールドと偶数フィールドとを含み、これらのフィールドを重ね合わせて１フレームを構成しているが、モニタ上の走査線の位置を指定するための走査信号をデジタル的に発生するための手段として、図４に示すような走査信号発生装置が採用されている。
図４に示す走査信号発生装置は、ＮＴＳＣ方式及びＰＡＬ方式の両者に適用可能に構成されており、図４において、１１、１２は、これらの方式にそれぞれ適用するように構成されたカウンタであり、２０は、ＮＴＳＣ方式の場合の走査線を表す走査信号Ｌ(N)i（ｉ＝１、２、３、……）とＰＡＬ方式の場合の走査線を表す走査信号Ｌ(P)iとを、ＮＴＳＣ／ＰＡＬ切換制御信号ＣN/Pに基づいて選択的に出力するための切換回路である。
【０００３】
カウンタ１１には、水平及び垂直同期分離回路（不図示）によってＮＴＳＣ方式の映像信号から得られた水平同期信号ＰH(N)及び垂直同期信号ＰV(N)が供給され、垂直同期信号ＰV(N)の後縁（低レベルから高レベルへの立ち上がりタイミング）でカウンタ１１が０にリセットすなわちクリアされ、水平同期信号ＰH(N)の後縁（低レベルから高レベルへの立ち上がりタイミング）でカウンタ１１の計数値を歩進させるよう構成されている。
【０００４】
このため、図５の（Ａ）に示すように、ＮＴＳＣ方式の奇数フィールドの信号に関しては、垂直同期信号ＰV(N)の後縁に水平同期信号ＰH(N)の前縁（高レベルから低レベルへの立ち上がりタイミング）が同期しているため、カウンタ１１は、クリア時点ｔ０後に、時点ｔ１、ｔ２、ｔ３、……で、計数値をそれぞれ増分する。これにより、奇数フィールドの走査線の位置を表すデジタル走査信号Ｌ(N)O1、Ｌ(N)O2、Ｌ(N)O3、……が、上記それぞれの時点でカウンタ１１から順次出力される。また、図５の（Ｂ）に示すように、偶数フィールドに関しては、垂直同期信号ＰV(N)の後縁が２つの水平同期信号ＰH(N)の中間に位置するので、カウンタ１１は、クリア時点ｔ０後に、時点ｔ１＋Δｔ、ｔ２＋Δｔ、ｔ３＋Δｔ、……で計数値をそれぞれ増分し、偶数フィールドの走査線の位置を表すデジタル信号Ｌ(N)E1、Ｌ(N)E2、Ｌ(N)E3、……が、上記それぞれの時点で順次出力される。なお、Δｔは水平同期信号ＰＰH(N)の１周期の約１／２であるから、クリア時点ｔ０を基準として考えると、偶数フィールドにおける計数値の増分は、奇数フィールドにおける２つの増分時点の中間に生じる。したがって、切換回路２０を介して出力される走査信号は、偶数フィールドの走査線が奇数フィールドの走査の中間に生じることになり、しかも、１フレーム分の走査線が適切な順に並ぶ走査信号が得られることになる。
【０００５】
一方、カウンタ１２には、ＰＡＬ方式の映像信号から得られた水平同期信号ＰH(P)及び垂直同期信号ＰV(P)が供給される。ＰＡＬ方式の映像信号における水平同期信号と垂直同期信号との関係がＮＴＳＣ方式のものとは相違していることから、該カウンタ１２の計数及びクリアのタイミングは、ＮＴＳＣ方式用のものとは相違している。
【０００６】
【発明が解決しようとする課題】
図４に示した従来例の走査信号発生装置においては、上記したように、ＮＴＳＣ方式とＰＡＬ方式とで映像信号の規格が相違しているため、これらに共通に使用可能な走査信号発生装置は、それぞれの方式に合わせたクリア・タイミング及び計数タイミングを有するカウンタを個別に設ける必要があった。
例えば、ＰＡＬ方式の映像信号の走査信号を、ＮＴＳＣ方式用のタイミングでクリア及び計数するカウンタを用いて発生しようとすれば、図６の（Ａ）及び（Ｂ）に示すように、偶数フィールドにおける走査線Ｌ(P)E1、Ｌ(P)E2、Ｌ(P)E3、……がそれぞれ、奇数フィールドにおける走査線Ｌ(P)O1、Ｌ(P)O2、Ｌ(P)O3、……の上方に位置してしまい、各フレームにおいて、適切な配置関係の走査線が鰓レス、結局、モニタ上の映像が上下にぶれてしまうことになる。
【０００７】
従来の装置は、上記したように方式別にカウンタを具備させる必要があるため構成が大型となり、よって安価に構成することができないという問題点があった。
したがって、本発明の目的は、映像信号から得られた水平同期信号及び垂直同期信号を用いてデジタル的に走査信号を発生する走査信号発生装置において、カウンタを１つだけ用いて、ＮＴＳＣ方式及びＰＡＬ方式の両方に適用することができる水平走査信号発生装置を提供することである。
【０００８】
【課題を解決するための手段】
上記した目的を達成するために、第１の本発明の走査信号発生装置においては、
ＮＴＳＣ方式の映像信号から抽出された水平同期信号、及びＰＡＬ方式の映像信号から抽出された水平同期信号が、択一的に入力される水平同期信号入力端子と、
クリア端子に供給されたパルス信号の後縁でクリアされ、かつ入力された水平同期信号を計数して走査信号を出力するカウンタと、
ＮＴＳＣ方式の映像信号から抽出された垂直同期信号、及びＰＡＬ方式の映像信号から抽出された垂直同期信号が、択一的に供給される垂直同期信号入力端子と、
入力された垂直同期信号の後縁が所定時間遅延された疑似垂直同期信号を発生する疑似垂直同期信号発生手段と、
入力された垂直同期信号及び生成された疑似垂直同期信号の一方を選択する選択手段であって、ＮＴＳＣ方式の映像信号の場合は入力された垂直同期信号を選択し、ＰＡＬ方式の映像信号の場合は生成された疑似垂直同期信号を選択して、カウンタのクリア端子に供給する選択手段と
からなることを特徴としている。
【０００９】
第２の本発明の走査信号発生装置においては、
ＮＴＳＣ方式の映像信号から抽出された水平同期信号、及びＰＡＬ方式の映像信号から抽出された水平同期信号が、択一的に入力される水平同期信号入力端子と、
クリア端子に供給されたパルス信号の後縁でクリアされ、かつ入力された水平同期信号を計数して走査信号を出力するカウンタと、
ＮＴＳＣ方式の映像信号から抽出された垂直同期信号、及びＰＡＬ方式の映像信号から抽出された垂直同期信号が、択一的に供給される垂直同期信号入力端子と、
入力された垂直同期信号の後縁が所定時間遅延された疑似垂直同期信号を発生する疑似垂直同期信号発生手段と、
映像信号から抽出されたフィールド判別信号に基づいて、現在のフィールドが奇数フィールドか偶数フィールドかを判定する判別手段と、
入力された垂直同期信号及び生成された疑似垂直同期信号の一方を選択する第１の選択手段であって、判別手段が現在のフィールドが奇数フィールドであると判定したときに入力された垂直同期信号を選択し、偶数フィールドであると判定したときに疑似垂直同期信号を選択して出力する第１の選択手段と、
入力された垂直同期信号及び第１の選択手段からの出力の一方を選択する第２の選択手段であって、ＮＴＳＣ方式の映像信号の場合は入力された垂直同期信号を選択し、ＰＡＬ方式の映像信号の場合は第１の選択手段からの出力を選択して、カウンタのクリア端子に供給する第１の選択手段と
からなることを特徴としている。
【００１０】
上記した第１及び第２の本発明の走査信号発生装置において、疑似垂直同期信号発生手段は、入力された垂直同期信号の後縁から所定時間後にパルスを出力する遅延手段と、入力された垂直同期信号の前縁でセットされ、遅延手段からのパルスによりリセットされるフリップ・フロップとで構成されることが好ましい。
【００１１】
【発明の実施の態様】
図１は本発明の一実施例の走査信号発生装置を示しており、図１において、１は、垂直同期信号によってクリアされかつ水平同期信号を計数するクリア端子Ｃ付きのカウンタであり、図４に示した従来例におけるカウンタ１１と同一のリセット・タイミング及び計数タイミングを有している。２は垂直同期信号の後縁を延長させるための遅延用カウンタ、３はＲＳ-フリップ・フロップ（ＦＦ）回路、４はＮＴＳＣ方式とＰＡＬ方式とを切り換えるための切換回路、５は垂直同期信号の論理レベルを反転するインバータ回路である。遅延用カウンタ２とフリップ・フロップ回路３とは、疑似垂直同期信号を発生する疑似垂直同期信号発生回路を構成している。なお、図１に示した装置の各回路は、正論理で動作するものとする。
【００１２】
切換回路４は、ＮＴＳＣ方式の映像信号の場合に、同期分離回路（不図示）を介して入力された垂直同期信号ＰV(N)をカウンタ１のクリア端子Ｃに供給し、ＰＡＬ方式の場合に、フリップ・フロップ回路３から発生された疑似垂直同期信号ＰV(P)’をカウンタ１のクリア端子Ｃに供給するよう、ＮＴＳＣ端子とＰＡＬ端子との間で、ＮＴＳＣ／ＰＡＬ切換制御信号ＣN/Pに基づいて選択的に切り換えられる。
図１に示した本発明の走査信号発生装置において、ＮＴＳＣ方式の場合には、切換回路４をＮＴＳＣ側の端子に切り換えることにより、垂直同期信号ＰV(N)をカウンタ１のクリア端子Ｃに供給し、図４に示した従来例の装置の動作と同様に、水平同期信号ＰH(N)を計数し走査信号Ｌ(N)iとして出力する。したがって、ＮＴＳＣ方式の場合には、遅延用カウンタ２、フリップ・フロップ３、インバータ５は、走査信号の発生に何ら関係しておらず、これらの回路は、ＰＡＬ方式の場合の走査信号発生にのみ寄与するものである。
【００１３】
以下に、ＰＡＬ方式の走査信号発生動作について説明する。ＰＡＬ方式の映像信号から得られた垂直同期信号ＰＰV(P)が入力されると、該垂直同期信号は遅延用カウンタ２に入力される。このとき、切換回路４はＰＡＬ端子側に接続されているので、該垂直同期信号ＰV(P)はカウンタ１のクリア端子Ｃには供給されない。
遅延用カウンタ２は、クリア端子付きプリセット・カウンタで構成されており、垂直同期信号ＰV(P)の後縁でクリアされて、入力される高周波のシステム・クロックＣＬＫを計数する。そして、計数値がプリセット値に到達した時点で、カウント・アップ・パルスＰcnt発生する。遅延用カウンタ２のプリセット値は、システム・クロックＣＬＫの周期及び水平同期信号ＰＰH(P)の周期に依存して予め設定されており、例えば、該水平同期信号のパルス幅と同一か該パルス幅よりもわずかに大きい程度の遅延ΔＴが得られるように、設定されている。なお、プリセット値は変更可能であり、したがって、遅延ΔＴは必要に応じて調整可能である。
【００１４】
フリップ・フロップ３は、垂直同期信号ＰV(P)の前縁すなわち高レベルから低レベルへの立ち下がりタイミングでセットされ、遅延用カウンタ２からのカウント・アップ・パルスＰcntによってリセットされるよう構成されている。なお、該フリップ・プロップを正論理動作としたため、インバータ５が挿入されている。したがって、図２の（Ａ）及び（Ｂ）に示すように、フリップ・フロップ回路３は、前縁が垂直同期信号ＰV(P)の前縁と一致し、後縁が該パルスＰV(P)の後縁よりもΔＴだけ遅延した疑似垂直同期信号ＰV(P)’を発生する。発生された疑似垂直同期信号ＰV(P)’は、切換回路４を介してカウンタ１のクリア端子Ｃに供給され、その後縁でカウンタ１をクリアする。
【００１５】
奇数フィールドにおいては、図２の（Ａ）に示すように、ｔ０の時点で疑似垂直同期信号ＰV(P)’立ち上がると、その時点でカウンタ１がクリアされ、その後、水平同期信号ＰH(N)の立ち上がり時点である時点ｔ１、ｔ２、ｔ３、…でカウンタ１が増分される。また、偶数フィールドにおいては、図２の（Ｂ）に示すように、時点ｔ０でカウンタ１がクリアされると、カウンタ１は、時点ｔ１＋Δｔ、ｔ２＋Δｔ、ｔ３＋Δｔ、…で増分される。したがって、図２から明らかなように、クリア時点ｔ０を基準にすると、奇数フィールドの走査線と偶数フィールドの走査線との位置関係が反転してしまうことがなく、各フレームにおいて、適切な位置関係の走査線が得られることになる。
【００１６】
上記した図１の実施例においては、ＰＡＬ方式において、奇数フィールド及び偶数フィールドともに、垂直同期信号ＰV(P)の後縁を延長した疑似垂直同期信号ＰV(P)’によりカウンタ１をクリアするよう構成したが、奇数フィールドにおいては垂直同期信号ＰV(P)を使用してカウンタ１をクリアし、偶数フィールドにおいてのみ疑似垂直同期信号ＰV(P)’をカウンタのクリア用に使用してもよい。
この場合、図３に示すように、映像信号に含まれるフィールド判別信号ＦO/Eを監視する判別回路６を具備させて、現在のフィールドが奇数フィールドか偶数フィールドかを判別するとともに、フリップ・フロップ回路３と切換回路４との間に別の切換回路７を挿入配置して、判定回路６が奇数フィールドであると判定した場合に垂直同期信号ＰV(P)を、偶数フィールドであると判定した場合に疑似垂直同期信号ＰV(P)’を、切換回路４に供給するように構成すればよい。
【００１７】
本発明は、上記した実施例に限定されるものではなく、種々の変形が可能である。例えば、遅延用カウンタ２の代わりに、ＣＲ遅延回路等の適宜の遅延手段を採用することが可能であり、また、フリップ・フロップ回路３を具備させずに、遅延用カウンタ２の出力を切換回路４又は７に直接供給しても良い。この場合も、フリップ・フロップ回路を設けた場合と同一のタイミングで、カウンタ１をクリアすることができる。
以上説明したように、本発明の走査信号発生装置によれば、ＰＡＬ方式の場合、垂直同期信号の後縁を遅延させてＮＴＳＣ方式の垂直同期信号の後縁と合致させることにより、カウンタのリセット及び計数タイミングを同一にすることにより、カウンタを共通に使用可能にしている。したがって、ＮＴＳＣ方式であってもＰＡＬ方式であっても、それぞれの方式に対応したタイミングで動作するカウンタを別々に設ける必要がなく、１つのカウンタを具備するだけで両方の方式に対応した走査信号を発生することができる。
よって、装置を従来例に比べて小型化することができ、これにより安価に構成することができる。
【図面の簡単な説明】
【図１】本発明の一実施例の走査信号発生装置の構成を示すブロック図である。
【図２】図１に示した装置の動作を説明するための波形図である。
【図３】本発明の他の実施例の走査信号発生装置の構成を示すブロック図である。
【図４】従来例の走査信号発生装置の構成を示すブロック図である。
【図５】図４に示した従来例の装置の動作を説明するためのパルス波形図である。
【図６】図４に示した従来例の装置の問題点を説明するための波形図である。
【図１】
0003725741.tif 000002
【図２】
0003725741.tif 000003
【図３】
0003725741.tif 000004
【図４】
0003725741.tif 000005
【図５】
0003725741.tif 000006
【図６】
0003725741.tif 000007